(57)【特許請求の範囲】
【請求項１】
高周波信号が入力される入力端子と、この入力端子に入力された信号が供給されるとともにその伝達特性が調整可能なフィルタと、このフィルタの出力が供給されるとともに、その出力が平衡である能動回路と、この能動回路の出力が供給される平衡型のＳＡＷフィルタと、このＳＡＷフィルタの平衡出力が供給される出力端子とを備え、前記能動回路の平衡出力をバッファ回路を介して検査端子に導出するとともに、少なくとも前記能動回路と前記バッファ回路が一つの集積回路に集積された高周波装置。
【請求項２】
バッファ回路を平衡・不平衡変換回路とした請求項１に記載の高周波装置。
【請求項３】
信号の入力端子と信号の出力端子との間に調整回路を含む複数の平衡信号伝達回路が直列接続された高周波装置において、前記平衡信号伝達回路の出力を切替えスイッチと直列接続された平衡・不平衡変換回路を介して一つの検査端子に導出するとともに、前記平衡信号伝達回路と前記平衡・不平衡変換回路と前記切替えスイッチとは一つの集積回路に集積された高周波装置。
【請求項４】
検査信号の入力端子を一つ設け、この一つの入力端子から切替えスイッチと直列接続された不平衡・平衡変換回路を介して平衡信号伝達回路の入力に接続するとともに前記不平衡・平衡変換回路と前記切替えスイッチとは前記平衡信号伝達回路と同一の集積回路に集積された請求項３に記載の高周波装置。
【請求項５】
平衡信号伝達回路の出力は平衡・不平衡変換回路を介して切替えスイッチに接続される請求項３に記載の高周波装置。
【請求項６】
平衡信号伝達回路の出力は切替えスイッチを介して一つの平衡・不平衡変換回路に接続される請求項３に記載の高周波装置。
【請求項７】
入力端子から切替えスイッチを介して一つの不平衡・平衡変換回路に接続される請求項４に記載の高周波装置。
【請求項８】
入力端子から一つの不平衡・平衡変換回路を介して切替えスイッチに接続される請求項４に記載の高周波装置。
【発明の詳細な説明】
【０００１】
【発明の属する技術分野】
本発明は、テレビ受像機などに使用される高周波装置に関するものである。
【０００２】
【従来の技術】
テレビ受像機等に使用される従来のチューナ（高周波装置の一例として用いた）は、以下のようなものであった。即ち従来のチューナは、図６に示すようにテレビ放送波が入力される入力端子１と、この入力端子１に接続された単同調回路２と、この単同調回路２の出力が接続された高周波増幅回路３と、この高周波増幅回路３の出力が接続された複同調回路４と、この複同調回路４の出力が一方の入力に接続されるとともに他方の入力には局部発振回路５の出力が入力される混合回路６と、この混合回路６の出力が接続された中間周波増幅回路７と、この中間周波増幅回路７の出力が接続されたＳＡＷ（表面弾性波）フィルタ８と、このＳＡＷフィルタ８の出力が接続された出力端子９と、前記中間周波数増幅回路７の出力に接続された検査端子１０とで構成されていた。
【０００３】
以上のように構成されたチューナについて、以下にその動作を説明する。入力端子１に入力されたテレビ放送波は単同調回路２で大まかな帯域が選択される。次に、複同調回路４で妨害波を除去し、混合回路６で希望波を選局するとともに、その出力はＳＡＷフィルタ８を介して出力端子９から出力されていた。
【０００４】
このような動きをするチューナの製造時における調整について以下に説明する。製造時においては、単同調回路２と複同調回路４の通過特性を調整する必要がある。単同調回路２は入力端子１に方向性結合器を装着し、リターンロス（ＶＳＷＲ）を観測しながら調整する。また、複同調回路４の調整は入力端子１から信号を入力して検査端子１０に波形観測装置を接続して、その波形を観測しながら調整をしていた。
【０００５】
【発明が解決しようとする課題】
このような調整を行うチューナの各回路は従来図６に示すように不平衡型であった。しかしながら妨害対策と、集積回路の進展により近年図７に示すような平衡型のチューナが多く用いられるようになった。図７において、不平衡回路、平衡回路の違いがあるもののその働きや接続の同じものについては添え字ａを付して説明を簡略化する。
【０００６】
ここで、図８の１１は、複同調回路４ａの通過特性である。しかしこの場合、中間周波増幅回路７ａの平衡出力の一方の検査端子１０ａを接続して、波形観測装置で波形を観測すると、真の波形を観測することができない。即ち、この平衡回路で形成された中間周波増幅回路７ａの出力のうち片方の線路にのみ波形観測装置が接続されるため平衡が崩れて１２に示すような波形が観測されることになる。従って、このような波形の平衡が崩れた状態を観測しながらフィルタである複同調回路４ａの調整をすることが非常に困難であった。なお、ここで図８の横軸１５は周波数（ＭＨｚ）、縦軸１４は利得（ｄＢ）である。
【０００７】
本発明は、このような問題点を解決するもので、調整の容易な高周波装置を提供することを目的としたものである。
【０００８】
【課題を解決するための手段】
この目的を達成するために本発明の高周波装置は、能動回路の平衡出力をバッファ回路を介して検査端子に導出するものである。これにより、高周波装置の調整が容易となる。
【０００９】
【発明の実施の形態】
本発明の請求項１に記載の発明は、高周波信号が入力される入力端子と、この入力端子に入力された信号が供給されるとともにその伝達特性が調整可能なフィルタと、このフィルタの出力が供給されるとともに、その出力が平衡である能動回路と、この能動回路の出力が供給される平衡型のＳＡＷフィルタと、このＳＡＷフィルタの平衡出力が供給される出力端子とを備え、前記能動回路の平衡出力をバッファ回路を介して検査端子に導出するとともに、少なくとも前記能動回路と前記バッファ回路が一つの集積回路に集積された高周波装置であり、検査端子にはバッファ回路を通過した信号が出力されているので、例え不平衡の入力端子を有する波形観測装置であったとしそのまま検査端子に直接接続しても、能動回路の出力に影響することは無く、フィルタの波形を正確に観測することができる。
【００１０】
また、バッファ回路は集積回路内に集積されているので、このバッファ回路のためにさほど大型化することも無く、また高価格になることも無い。
【００１１】
請求項２に記載の発明は、バッファ回路を平衡・不平衡変換回路とした請求項１に記載の高周波装置であり、平衡・不平衡回路が用いられているので、不平衡の入力を有する波形観測装置を接続したとき、その整合が良い。
【００１２】
請求項３に記載の発明は、信号の入力端子と信号の出力端子との間に調整回路を含む複数の平衡信号伝達回路が直列接続された高周波装置において、前記平衡信号伝達回路の出力を切替えスイッチと直列接続された平衡・不平衡変換回路を介して一つの検査端子に導出するとともに、前記平衡信号伝達回路と前記平衡・不平衡変換回路と前記切替えスイッチとは一つの集積回路に集積された高周波装置であり、夫々の調整回路を含む平衡信号伝達回路の出力が平衡・不平衡変換回路と切替えスイッチが直列に接続されて、一つの検査端子に出力されているので、切替えスイッチで切り替えることにより、夫々任意の平衡信号伝達回路の出力を一つの検査端子から観測することができる。従って、波形観測装置の検査端子との繋ぎ変えを行う必要は無い。また、例え不平衡の入力端子を有する波形観測装置であったとしてもそのまま検査端子に直接接続して調整回路の波形を正確に観測することができる。
【００１３】
また、平衡・不平衡変換回路は集積回路内に集積されているので、この平衡・不平衡変換回路のためにさほど大型化することも無く、また高価格になることも無い。更に、検査端子は一つであるので、夫々検査端子を設けるものに比べて、集積回路の端子数を少なくすることができる。
【００１４】
請求項４に記載の発明は、検査信号の入力端子を一つ設け、この一つの入力端子から切替えスイッチと直列接続された不平衡・平衡変換回路を介して平衡信号伝達回路の入力に接続するとともに前記不平衡・平衡変換回路と前記切替えスイッチとは前記平衡信号伝達回路と同一の集積回路に集積された請求項３に記載の高周波装置であり、切替えスイッチを用いることにより、一つの検査信号の入力端子に直接接続することができる。この場合、例え、調整波形出力装置の出力信号は不平衡であったとしても平衡・不平衡変換回路を有しているので、接続による波形特性の劣化を招くことなく正確な波形を入力することができる。
【００１５】
また、不平衡・平衡変換回路は集積回路内に集積されているので、この不平衡・平衡変換回路のためにさほど大型化することも無く、また高価格になることも無い。更に、検査信号の入力端子は一つであるので、夫々入力端子を設けるものに比べて、集積回路の端子数を少なくすることができる。
【００１６】
請求項５に記載の発明は、平衡信号伝達回路の出力は平衡・不平衡変換回路を介して切替えスイッチに接続される請求項３に記載の高周波装置であり、夫々の平衡信号伝達回路の近傍に平衡・不平衡変換回路を設けて、その出力を切替えスイッチに導くので、その配線は不平衡信号となり配線の合理化ができる。
【００１７】
請求項６に記載の発明は、平衡信号伝達回路の出力は切替えスイッチを介して一つの平衡・不平衡変換回路に接続される請求項３に記載の高周波装置であり、平衡・不平衡変換回路の入力まで平衡線路で配線されるので、この間における外部からの妨害が少なくなる。また、不平衡・平衡変換回路も一つで良い。
【００１８】
請求項７に記載の発明は、入力端子から切替えスイッチを介して一つの不平衡・平衡変換回路に接続される請求項４に記載の高周波装置であり、夫々の平衡信号伝達回路の近傍に不平衡・平衡変換回路を設けることができるので、切替えスイッチから不平衡・平衡変換回路に導く配線は不平衡信号となり配線の合理化ができる。
【００１９】
請求項８に記載の発明は、入力端子から一つの不平衡・平衡変換回路を介して切替えスイッチに接続される請求項４に記載の高周波装置であり、平衡・不平衡変換回路の出力から平衡信号伝達回路の入力まで平衡線路で配線されるので、この間における外部からの妨害が少なくなる。また、不平衡・平衡変換回路も一つで良い。
【００２０】
以下、本発明の実施の形態について、図面を用いて説明する。
【００２１】
（実施の形態１）
図１は実施の形態１における高周波装置のブロック図である。図１において、本発明の高周波装置は、テレビ放送波が入力される入力端子２１と、この入力端子２１に接続された単同調回路２２と、この単同調回路２２の出力が接続された高周波増幅回路２３と、この高周波増幅回路２３の出力が接続された複同調回路２４と、この複同調回路２４の出力が一方の入力に接続されるとともに他方の入力には局部発振回路２５の出力が入力される混合回路２６と、この混合回路２６の出力が接続された中間周波増幅回路２７と、この中間周波増幅回路２７の出力が接続されたインピーダンス整合回路２８と、このインピーダンス整合回路２８の出力が接続されたＳＡＷフィルタ２９と、このＳＡＷフィルタ２９の出力が接続された増幅回路３０と、この増幅回路３０の出力が接続された出力端子３１と、前記中間周波増幅回路２７の平衡出力に接続された平衡・不平衡変換回路（バッファ回路の一例として用いた）３２と、この平衡・不平衡変換回路３２の出力に接続された検査端子３３とから構成されている。
【００２２】
ここで、本実施の形態においては妨害に対して安定して動作させるべく、全ての回路が平衡回路で構成されるとともに一つのパッケージ３５に集積されている。
【００２３】
以上のように構成されたチューナについて、以下にその動作を説明する。入力端子２１に入力されたテレビ放送波は単同調回路２２で大まかな帯域が選択される。次に、複同調回路２４で隣接する妨害波を除去し、混合回路２６で希望波を選局するとともに、その出力はＳＡＷフィルタ２９を介して出力端子３１から出力される。
【００２４】
このような働きをするチューナの製造時の調整について以下に説明する。製造時においては、単同調回路２２と複同調回路２４の通過特性を調整する必要がある。単同調回路２２は入力端子２１に方向性結合器２０を装着し、リターンロスを観測しながら調整する。
【００２５】
次に、伝達特性を調整するフィルタとしての複同調回路２４の調整について説明する。先ず、入力端子２１から信号を入力する。また、検査端子３３には波形観測装置３４を接続する。この場合、中間周波増幅回路２７の平衡出力は平衡・不平衡変換回路３２を介して波形観測装置３４に接続されている。従って、例え波形観測装置３４の入力が不平衡回路であったとしても中間周波増幅回路２７とインピーダンス整合回路２８との平衡が崩れることは無く図２の３６に示すように複同調回路２４の通過特性を略正確に観測することができる。従って、この通過特性波形に従って複同調回路２４を調整すればよい。
【００２６】
なお、図２において、横軸３７は周波数（ＭＨｚ）であり、縦軸３８は利得（ｄＢ）である。
【００２７】
（実施の形態２）
実施の形態２を図３に示す。本実施の形態２の高周波装置は一つの集積回路内に、平衡信号が入力される入力端子４１と、この入力端子４１に接続された調整回路を含む平衡信号伝達回路４２と、この平衡信号伝達回路４２の出力に接続された調整回路を含む平衡信号伝達回路４３と、この平衡信号伝達回路４３の出力に接続された調整回路を含む平衡信号伝達回路４４と、この平衡信号伝達回路４４の出力に接続された出力端子４５と、前記平衡信号伝達回路４２の出力に接続された平衡・不平衡変換回路４６と、この平衡・不平衡変換回路４６の出力に接続された検査端子４７と、前記平衡信号伝達回路４３の出力に接続された平衡・不平衡変換回路４８、この平衡・不平衡変換回路４８の出力に接続された検査端子４９と、前記平衡信号伝達回路４４の出力に接続された平衡・不平衡変換回路５０と、この平衡・不平衡変換回路５０の出力に接続された検査端子５１と、検査信号の入力端子５２と前記平衡信号伝達回路４２の入力との間に接続された不平衡・平衡変換回路５３と、検査信号の入力端子５４と前記平衡信号伝達回路４３の入力との間に接続された不平衡・平衡変換回路５５と、検査信号の入力端子５６と前記平衡信号伝達回路４４の入力との間に接続された不平衡・平衡変換回路５７とで構成されるとともに一つの集積回路に集積されている。
【００２８】
以上のように構成された高周波装置について、以下にその動作を説明する。入力端子４１に入力された平衡信号は調整回路を有する平衡信号伝達回路４２と、平衡信号伝達回路４３と、平衡信号伝達回路４４を介して出力端子４５に出力される。
【００２９】
ここで、平衡信号伝達回路４２と、平衡信号伝達回路４３と、平衡信号伝達回路４４は夫々調整回路を有しているので、その調整について以下に説明する。平衡信号伝達回路４２の調整においては、不平衡出力を有する調整波形出力装置５８の出力を検査波形の入力端子５２に接続する。そして、検査端子４７に不平衡入力の波形観測装置３４を接続して平衡信号伝達回路４２の調整回路を調整する。
【００３０】
以下、同様に、平衡信号伝達４３の調整は、不平衡出力を有する調整波形出力装置５８の出力を検査波形の入力端子５４に接続する。そして、検査端子４９に不平衡入力の波形観測装置３４を接続して平衡信号伝達回路４３の調整回路を調整する。
【００３１】
平衡信号伝達回路４４の調整は、不平衡出力を有する調整波形出力装置５８の出力を検査波形の入力端子５６に接続する。そして、検査端子５１に不平衡入力の波形観測装置３４を接続して平衡信号伝達回路４４の調整回路を調整する。
【００３２】
以上のようにして、全ての平衡信号伝達回路４２，４３，４４を調整する。このように調整波形出力装置５８の出力は不平衡・平衡変換回路５３，５５，５７を夫々介して供給されるとともに、その出力は夫々平衡・不平衡変換回路４６，４８，５０を介して波形観測装置３４に接続されるので、平衡信号に影響を与えることなく、正確な調整ができる。
【００３３】
なお、本実施の形態においては、平衡信号伝達回路４２，４３，４４の全てに調整回路が含まれており、かつその全てを独立に調整するものについて述べた。しかし、調整を必要としない平衡信号伝達回路の場合は、その入力に不平衡・平衡変換回路を接続する必要はないし、その出力に平衡・不平衡変換回路を接続する必要は無い。
【００３４】
また、検査信号の入力端子５２，５４，５６と夫々対応する不平衡・平衡変換回路５３，５５，５７は、近接して配置する。また、不平衡・平衡変換回路５３，５５，５７と夫々対応する平衡信号伝達回路４２，４３，４４も近接して配置することが望ましい。同様に平衡信号伝達回路４２，４３，４４と夫々対応する平衡・不平衡変換回路４６，４８，５０は近接して配置する。また、平衡・不平衡変換回路４６，４８，５０と夫々対応する検査端子４７，４９，５１も近接して配置することが望ましい。
【００３５】
（実施の形態３）
図４は、実施の形態３における高周波装置のブロック図である。実施の形態３においては、実施の形態２における不平衡・平衡変換回路５３，５５，５７の夫々の入力端子を電子回路で形成された切替えスイッチ６０の選択端子に接続し、切替えスイッチ６０の共通端子を一つの入力端子６１に接続したものである。
【００３６】
また、平衡信号伝達回路４２，４３，４４の出力は夫々平衡・不平衡変換回路４６，４８，５０を介して電子回路で形成された切替えスイッチ６２の選択端子に接続され、この切替えスイッチ６２の共通端子は一つの検査端子６３に接続されたものである。そしてこれらの回路は一つのパッケージに集積されている。
【００３７】
このように構成することにより、調整波形出力装置５８の出力は入力端子６１に接続することにより、切替えスイッチ６０の切替えで任意の平衡信号伝達回路４２，４３，４４に適宜入力させることができる。また、波形観測装置３４を検査端子６３に接続することにより、切替えスイッチ６２の切替えで任意の平衡信号伝達回路４２，４３，４４の出力を適宜出力させることができる。
【００３８】
以上のように構成することにより、集積回路の端子数を減らすことができる。また、不平衡・平衡変換回路５３，５５，５７から切替えスイッチ６０の選択端子までの配線が簡単になる。
【００３９】
（実施の形態４）
図５は、実施の形態４における高周波装置のブロック図である。図５において、実施の形態４においては、実施の形態２における平衡信号伝達回路４２，４３，４４の平衡出力を平衡信号の切替えスイッチ６５の選択端子に接続する。一方この切替えスイッチ６５の共通端子は、一つの平衡・不平衡変換回路６６を介して検査端子６７に接続される。
【００４０】
また、検査信号の入力端子６８からは、一つの不平衡・平衡変換回路６９を介して平衡信号を切り替える切替えスイッチ７０の共通端子に接続されている。この切替えスイッチ７０の選択端子は、夫々平衡信号伝達回路４２，４３，４４の平衡入力端子に接続されている。ここで、切替えスイッチ６５と７０は電子回路で形成されている。
【００４１】
このように構成することにより、調整波形出力装置５８の出力は入力端子６８に接続することにより、切替えスイッチ７０の切替えで任意の平衡信号伝達回路４２，４３，４４に適宜入力させることができる。また、波形観測装置３４を検査端子６７に接続して、切替えスイッチ６５の切替えで任意の平衡信号伝達回路４２，４３，４４の出力を適宜出力させることができる。そして、これらの回路は一つのパッケージに集積されている。
【００４２】
以上のように構成することにより、集積回路の端子数を減らすことができる。また、不平衡・平衡変換回路６９の出力以降は平衡回路になっているので、外部からの影響を受けにくい。また、平衡・不平衡変換回路６６の入力までは平衡回路になっているので、外部からの影響を受けにくい。
【００４３】
また、実施の形態２に比べて、略同一の性能を持ちながら集積回路の端子数を少なくすることができる。
【００４４】
【発明の効果】
以上のように本発明の高周波装置によれば、能動回路の平衡出力をバッファ回路を介して検査端子に導出するとともに、少なくとも前記能動回路と前記バッファ回路が一つの集積回路に集積されたものであり、検査端子にはバッファ回路を通過した信号が出力されているので、例え不平衡の入力端子を有する波形観測装置であったとしてもそのまま検査端子に直接接続してフィルタの波形を正確に観測することができる。
【００４５】
また、バッファ回路は集積回路内に集積されているので、このバッファ回路のためにさほど大型化することも無く、また高価格になることも無い。
【図面の簡単な説明】
【図１】  本発明の実施の形態１における高周波装置のブロック図
【図２】  同、特性図
【図３】  同、実施の形態２における高周波装置のブロック図
【図４】  同、実施の形態３における高周波装置のブロック図
【図５】  同、実施の形態４における高周波装置のブロック図
【図６】  従来の高周波装置のブロック図
【図７】  同、他の例による高周波装置のブロック図
【図８】  同、特性図
【符号の説明】
２１  入力端子
２４  複同調回路
２７  中間周波増幅回路
２９  ＳＡＷフィルタ
３１  出力端子
３２  平衡・不平衡変換回路
３３  検査端子
３４  波形観測装置
【図１】
0003733867.tif 000002
【図２】
0003733867.tif 000003
【図３】
0003733867.tif 000004
【図４】
0003733867.tif 000005
【図５】
0003733867.tif 000006
【図６】
0003733867.tif 000007
【図７】
0003733867.tif 000008
【図８】
0003733867.tif 000009